(57)【要約】【課題】  複数の機能が同時に動作可能な電子機器に関し、特定の機能を動作している場合にも、セキュリティ性を損なうことなく、動作抑止中の他の機能の動作を可能にする。【解決手段】  ある機能の動作中に他の機能の動作が可能であり、各機能に動作抑止の設定が可能である電子機器（例えば、携帯端末装置２）であって、前記ある機能の動作中に前記他の機能の呼出しを受け付け、その呼出しに係る他の機能に動作抑止が設定されている場合、認証情報の判定に基づき、前記動作抑止を解除する制御部（プロセッサ６）を備えた構成である。【選択図】        図１
2006303701.tif 000002
【特許請求の範囲】
【請求項１】
ある機能の動作中に他の機能の動作が可能であり、各機能に動作抑止の設定が可能である電子機器であって、
前記ある機能の動作中に前記他の機能の呼出しを受け付け、その呼出しに係る他の機能に動作抑止が設定されている場合、認証情報の判定に基づき、前記動作抑止を解除する制御部を備えたことを特徴とする電子機器。
【請求項２】
動作抑止が設定されている場合に電話着信を受け付け、通話が可能な電子機器であって、
通話中に機能の呼出しを受け付け、その呼出しに係る機能に動作抑止が設定されている場合、認証情報の判定に基づき、前記動作抑止を解除する制御部を備えたことを特徴とする電子機器。
【請求項３】
請求項１又は２に記載の電子機器において、
前記制御部は、機能の呼出しを受け付けた場合に、前記認証情報の入力を促す表示情報を出力することを特徴とする電子機器。
【請求項４】
ある機能の動作中に他の機能の動作が可能であり、各機能の動作抑止の設定が可能である電子機器の動作抑止制御方法であって、
前記ある機能の動作中に前記他の機能の呼出しを受け付ける処理と、
前記呼出しに係る他の機能に動作抑止が設定されている場合に認証情報を判定する処理と、
前記認証情報の判定に基づき、前記動作抑止を解除する処理と、
を備えたことを特徴とする電子機器の動作抑止制御方法。
【請求項５】
コンピュータにより実行され、ある機能の動作中に他の機能の動作が可能であり、各機能の動作抑止の設定が可能である電子機器の動作抑止制御プログラムであって、
前記ある機能の動作中に前記他の機能の呼出しを受け付けるステップと、
前記呼出しに係る他の機能に動作抑止が設定されている場合に認証情報を判定するステップと、
前記認証情報の判定に基づき、前記動作抑止を解除するステップと、
を備えたことを特徴とする電子機器の動作抑止制御プログラム。
【請求項６】
ある機能の動作中に他の機能の動作が可能であり、各機能に動作抑止の設定が可能である電子機器であって、
前記ある機能の動作中に前記他の機能の呼出しを受け付けた場合に、その呼出しに係る他の機能が動作抑止に設定されているかを判断する動作抑止設定判断部と、
前記動作抑止設定判断部において、該他の機能が動作抑止に設定されていると判断した場合、前記動作抑止を解除するための認証情報をユーザに対して要求する認証情報要求部と、
該認証情報要求部において要求された認証情報とユーザから入力された認証情報とを比較判定し、その判定結果に基づき、前記動作抑止を解除する制御部と、
を備えたことを特徴とする電子機器。
【発明の詳細な説明】
【技術分野】
【０００１】
本発明は、電話機能を含む複数の機能を備える携帯端末装置等の電子機器の動作抑止制御に関し、複数の機能処理、セキュリティ機能及び操作性の調和を図った電子機器、その動作抑止制御方法及び動作抑止制御プログラムに関する。
【０００２】
電子機器として例えば、携帯端末装置では、動作抑止中にも電話着信及び応答を可能にし、その通話中に例えば、アドレス検索機能が可能であるとともに、そのアドレス検索機能に動作抑止（ロック機能）が設定された場合、通話停止や機能停止を伴うことなく、一定の条件により、その動作抑止を解除して他の機能の動作を可能にする等、複数の機能の同時動作、操作性及びセキュリティ機能の調和を実現した電子機器に関する。
【背景技術】
【０００３】
電子機器として例えば、携帯端末装置には、筐体部の開閉機構に連動させて動作抑止を行う開閉ロック機能を搭載したものがある。このような開閉ロック機能は複数の機能や選択された機能に対する一時的な動作抑止を目的としたものであって、ユーザが携帯電話機から離れる際に、筐体部を閉じるという操作のみで、開閉ロック機構が働き、その携帯電話機から住所録等のプライベート情報の覗き見等の情報漏洩を生じさせないこと等を想定したものである。このようなカジュアル的なロック機能であるから、ユーザの利便性からすれば、電話着信及び通話や表示動作等の基本的な動作は抑止すべきではないし、選択的に動作抑止が解除された場合であっても、他の機能の動作が抑止（ロック）されるのであれば、セキュリティ性が低下するという不都合はない。
【０００４】
このような携帯電話機等の選択的な動作抑止の解除に関し、先行技術には、待受状態で電話着信があった場合に、特定のキーを操作することで通話状態に移行させるもの（例えば、特許文献１）、キーロック中に電話着信があると、着信内容に応じて設定情報を選択するもの（例えば、特許文献２）等がある。
【特許文献１】特開平９−２６１３３６号公報（段落番号００４８、図５等）
【特許文献２】特開２００４−３２８５７３号公報（段落番号００２１、００２２、図２等）
【発明の開示】
【発明が解決しようとする課題】
【０００５】
このような動作抑止の部分的な解除により、ユーザは開閉ロックを解除せずに着信動作が可能となったが、電話着信中にロック解除ができない場合には、着信中に例えば、住所録を参照するという機能操作が困難となる。斯かる必要が生じた際には、
１．電話を中断させ（終話し）、
２．ロックを解除した後、
３．電話をかけ直す、
といった重複操作が必要である。これでは著しく不便であり、その不便さの故にロック機構が活用し難く、改善の必要がある。
【０００６】
特許文献１、２に開示された技術では、ロック中でも電話着信が可能である旨の記載があるが、電話着信から通話に移行する場合には、複数のキー操作を必要とするので、キー操作が煩わしいという問題がある。
【０００７】
斯かる課題は、複数の機能を備える電子機器に関し、ある機能の動作中に他の機能の動作が可能であるが、その機能に動作抑止が設定できる電子機器においても同様である。そして、斯かる課題は、特許文献１、２には開示されておらず、その解決するための構成についても開示や示唆はない。
【０００８】
そこで、本発明は、複数の機能が同時に動作可能で動作抑止が設定可能な電子機器に関し、特定の機能を動作している場合にも、セキュリティ性を損なうことなく、動作抑止中の他の機能の動作を可能にすることを課題とする。
【０００９】
また、本発明の他の課題は、複数の機能が同時に動作可能で動作抑止が設定可能な電子機器に関し、電話着信及び通話の際に、セキュリティ性を損なうことなく、通話を維持しながら動作抑止中の他の機能の立上げを可能にし、操作の利便性を向上させることにある。
【課題を解決するための手段】
【００１０】
上記課題を解決した本発明の構成の各側面を以下に列挙し、説明する。
【００１１】
本発明の第１の側面は、ある機能の動作中に他の機能の動作が可能であり、各機能に動作抑止の設定が可能である電子機器であって、前記ある機能の動作中に前記他の機能の呼出しを受け付け、その呼出しに係る他の機能に動作抑止が設定されている場合、認証情報の判定に基づき、前記動作抑止を解除する制御部を備えた構成である。
【００１２】
斯かる構成によれば、本発明に係る電子機器には、着信動作中に電話帳の参照等の複数の機能を同時に動作させることができる携帯電話機等が含まれるが、このような携帯電話機等の通信機器に限定されるものではない。一つの電子ゲーム機において、一つの機能である特定のゲームが実行されている場合に、他の機能であるゲームが呼び出されて実行されるというゲーム機等も想定できるからである。本発明は、斯かるマルチタスク機能及び動作抑止機能を備えた電子機器に適用される。
【００１３】
この電子機器では、ある機能の動作中に他の機能の呼出しを受け付ける。呼出しに係る他の機能に動作抑止が設定されている場合、その機能を立ち上げることは、動作抑止を解除しない限り不可能である。このような機能呼出しを契機とし、認証情報の入力を要求する。この認証情報は、指紋、識別番号、静脈等の電子機器に登録されている認証情報を対象とする。ユーザは、要求に応じて斯かる認証情報を提供し、その認証情報を参照することにより、動作抑止を解除し、又はその動作抑止を継続する。即ち、ある機能の動作中に呼出しを受けた機能の動作が可能になる。即ち、認証情報が適正でない限り、その機能の立上げは不可能であるから、セキュリティ性が損なわれることはないし、また、動作中の機能を解除した後、呼出しに係る機能を実行し、その終了後に、当初の機能を再立上げする操作も不要である。
【００１４】
本発明の第２の側面は、動作抑止が設定されている場合に電話着信を受け付け、通話が可能な電子機器であって、通話中に機能の呼出しを受け付け、その呼出しに係る機能に動作抑止が設定されている場合、認証情報の判定に基づき、前記動作抑止を解除する制御部を備えた構成である。
【００１５】
斯かる構成によれば、携帯電話機等、電話機能を備える電子機器に関し、動作抑止が設定されている場合に電話着信を受け付け、通話が可能である。このような電子機器において、通話中に機能の呼出しを受け付ける。その呼出しに係る機能に動作抑止が設定されている場合、既述したように、その機能を立ち上げることができない。即ち、動作させることができない。そこで、その動作抑止の解除について、ユーザに認証情報の提供を求める。電子機器では、提供された認証情報の参照により動作抑止を解除する。例えば、通話中に電話帳等のプライベート情報の検索が可能になる。即ち、その認証情報が適正でない限り、その機能の立上げは不可能であるから、セキュリティ性が損なわれることはないし、また、通話を一旦終了した後、呼出しに係る機能を実行し、その終了後に、電話をかけ直す操作は不要になる。
【００１６】
上記電子機器において、より好ましくは、前記制御部は、機能の呼出しを受け付けた場合に、前記認証情報の入力を促す表示情報を出力する構成としてもよい。斯かる構成によれば、表示情報の出力により、ユーザに告知することができる。
【００１７】
本発明の第３の側面は、ある機能の動作中に他の機能の動作が可能であり、各機能の動作抑止の設定が可能である電子機器の動作抑止制御方法であって、前記ある機能の動作中に前記他の機能の呼出しを受け付ける処理と、前記呼出しに係る他の機能に動作抑止が設定されている場合に認証情報を判定する処理と、前記認証情報の判定に基づき、前記動作抑止を解除する処理とを備えた構成である。
【００１８】
斯かる構成によれば、ある機能の動作中に他の機能を動作させるには、ある機能の動作中に他の機能の呼出しを受け付ける処理が実行される。この処理では、呼出しのために特定のキー等の操作による入力が受け付けられる。この機能呼出しの受け付けの際、その呼出しに係る他の機能に動作抑止が設定されている場合には、認証情報を参照し、その参照の結果、動作抑止を解除する処理が実行される。このような処理の連鎖により、認証情報が適正でない限り、その機能の立上げは不可能であるから、セキュリティ性が損なわれることはないし、また、動作中の機能を解除した後、呼出しに係る機能が実行される。
【００１９】
本発明の第４の側面は、コンピュータにより実行され、ある機能の動作中に他の機能の動作が可能であり、各機能の動作抑止の設定が可能である電子機器の動作抑止制御プログラムであって、前記ある機能の動作中に前記他の機能の呼出しを受け付けるステップと、前記呼出しに係る他の機能に動作抑止が設定されている場合に認証情報を判定するステップと、前記認証情報の判定に基づき、前記動作抑止を解除するステップとを備えた構成である。
【００２０】
斯かる構成によれば、ある機能の動作中に他の機能の呼出しを受け付けるステップと、その呼出しに係る他の機能に動作抑止が設定されている場合、該動作抑止を認証情報の参照により解除するステップとの連鎖により、認証情報が適正である場合に、呼出しに係る機能の立上げが可能になるから、セキュリティ性を損なうことなく、また、動作中の機能を解除することもなく、呼出しに係る機能をコンピュータで実行することができる。
【００２１】
本発明の第５の側面は、ある機能の動作中に他の機能の動作が可能であり、各機能に動作抑止の設定が可能である電子機器であって、前記ある機能の動作中に前記他の機能の呼出しを受け付けた場合に、その呼出しに係る他の機能が動作抑止に設定されているかを判断する動作抑止設定判断部と、前記動作抑止設定判断部において、該他の機能が動作抑止に設定されていると判断した場合、前記動作抑止を解除するための認証情報をユーザに対して要求する認証情報要求部と、該認証情報要求部において要求された認証情報とユーザから入力された認証情報とを比較判定し、その判定結果に基づき、前記動作抑止を解除する制御部とを備えた構成である。
【００２２】
斯かる構成によれば、動作抑止が設定されている場合には、自動的に認証情報が要求され、これを契機にして、入力された認証情報の判定が行われる。この判定結果に基づき、動作抑止の解除が行われる。従って、ロック中に例えば、電話着信があった場合には、煩わしいキー操作を必要とせずに、通話に移行することができる。
【発明の効果】
【００２３】
以上の構成によれば、次のような効果が得られる。
【００２４】
(1) 複数の機能を同時に動作させることができ、機能に対し動作抑止が可能である電子機器であって、ある機能が実行されている際に、動作抑止が設定された他の機能を呼び出し、それを実行させることが容易になるとともに、セキュリティ性を低下させることもない。
【００２５】
(2) 電話着信及び通話が可能な携帯端末装置等の電子機器であって、通話中に動作抑止の設定されている他の機能を呼び出し、それを実行させることが可能になるとともに、セキュリティ性を低下させることもなく、通話を終了させるという不都合もない。
【発明を実施するための最良の形態】
【００２６】
〔第１の実施の形態〕
【００２７】
本発明の第１の実施の形態について、図１を参照して説明する。図１は、第１の実施の形態に係る携帯端末装置を示すブロック図である。
【００２８】
この携帯端末装置２は、電話機能を含む複数の機能を備える携帯電話機等の電子機器の一例であって、この実施の形態の携帯端末装置２では、後述の開閉機構（図２）に連動する開閉ロック機能を備えている。ここで、開閉ロック機能は、携帯端末装置２が備える複数の機能に関し、その動作の全部又は一部に動作抑止を設定し、その動作抑止の契機を開閉機構に連動させて、即ち、開状態から閉状態に移行させると、自動的にロック状態が確立するという機能である。
【００２９】
この携帯端末装置２には、記憶部４、プロセッサ６、無線送受信部８、開閉センサ１０、入力操作部１２、指紋センサ１４、表示部１６、マイクロフォン１８、スピーカ２０等が備えられている。記憶部４は、ＲＯＭ（Read-Only Memory）、ＲＡＭ（Random-Access Memory）等を総括的に示しており、着脱可能な記録媒体で構成してもよい。この記憶部４には、プログラム格納部４２及びデータ格納部４４等が設定されており、プログラム格納部４２には、管理プログラム４２２、画面表示プログラム４２４、認証プログラム４２６、ロック設定・解除プログラム４２８、その他各種の情報処理プログラム等が格納されている。
【００３０】
管理プログラム４２２は、フレームワークを構成しており、住所録、電話帳、メモ帳等のデータ記憶及び削除、画面表示プログラム４２４、認証プログラム４２６、ロック設定・解除プログラム４２８、その他各種の情報処理プログラム等の実行及びその停止を管理する。ロック設定・解除プログラム４２８は、各種機能についてのロック設定（動作抑止）又はその解除（抑止解除）を実行する。この場合、動作抑止には、セキュリティ性の要請から各種のモードが設定され、例えば、オールロックモード、シークレットモード、改ざん防止モード等がある。オールロックモードでは全機能に動作抑止を設定し、シークレットモードでは電話帳データやスケジュールデータの表示機能に動作抑止を設定し、改ざん防止モードでは電話帳、プロフィール、スケジュール等のデータの表示・編集機能に動作抑止を設定するが、この携帯端末装置２では、いずれの機能抑止が設定されていても、電話着信及び通話機能には動作抑止の設定が解除されている。また、機能の動作抑止について、その設定解除には認証情報が参照され、この認証情報には、予めユーザが登録した指紋、識別番号、静脈等が用いられる。
【００３１】
データ格納部４４には、住所録エリア４４２、電話帳エリア４４４、メモ帳エリア４４６、認証情報エリア４４８等が設定されて該当データが格納される。住所録エリア４４２には通話先等の住所データが格納され、電話帳エリア４４４には通話やメール送受信先のメールアドレス等が格納され、また、メモ帳エリア４４６にはユーザが必要に応じて書き込むメモが格納され、これらは、ユーザのプライベート情報に属するものである。認証情報エリア４４８には、ユーザの指紋、暗証情報、静脈情報等の各種の認証情報が登録される。
【００３２】
また、プロセッサ６は、制御部、動作抑止設定判断部、認証情報要求部、情報処理部等を構成しており、ＣＰＵ（Central Processing Unit ）等で構成されるとともに、演算途上のデータを保持する記憶部も備えている。このプロセッサ６では、既述の管理プログラム４２２等の各種のプログラムを実行し、電話機能、開閉ロック機能及びその解除機能、動作抑止設定判断機能、認証情報要求機能、画面表示機能、各種データの入出力、住所録又は電話帳の検索機能、メモ帳の書込み機能又はその消去機能等の各種の設定や制御を実行する。即ち、プロセッサ６の各種機能において、制御部としての機能は、例えば、ある機能の動作中に他の機能の呼出しを受け付け、その呼出しに係る機能に動作抑止が設定されている場合、認証情報の判定に基づき、動作抑止を解除する機能であり、具体的には、動作抑止が設定されている場合に電話着信を受け付け、その通話中に機能の呼出しを受け付け、その呼出しに係る機能に動作抑止が設定されている場合、認証情報の判定に基づき、動作抑止を解除する機能等である。
【００３３】
また、プロセッサ６が有する、動作抑止設定判断部としての機能は、例えば、ある機能の動作中に他の機能の呼出しを受け付けた場合に、その呼出しに係る他の機能が動作抑止に設定されているかを判断する機能である。また、認証情報要求部としての機能は、例えば、既述の動作抑止設定判断部が他の機能が動作抑止に設定されていると判断した場合、動作抑止を解除するための認証情報をユーザに対して要求する機能である。また、これらと関係する制御部としての機能は、例えば、認証情報要求部において要求された認証情報とユーザから入力された認証情報とを比較判定し、その判定結果に基づき、動作抑止を解除する機能である。
【００３４】
無線送受信部８は、アンテナ２２を通じて図示しない基地局と無線信号により送受信を行う。この無線送受信部８には信号処理として変調や復調を行う変復調回路、暗号化又は復号化等を行うベースバンド回路が含まれる。
【００３５】
開閉センサ１０は携帯端末装置２に開閉機構２４が備えられた場合に設置され、開閉機構２４が開状態又は閉状態になったことを電気的に検出する。
【００３６】
入力操作部１２は、電話番号、文字、暗証情報としての暗証番号等の入力や、機能の立上げ、その解除等の操作に用いられ、例えば、タスクキー１２２、決定キー１２４、ダイヤル・文字キー１２６、開始・文字キー１２８、電源・終了キー１２９等が含まれている。暗証番号等を認証情報に使用する場合には、入力操作部１２が認証情報入力部を構成する。
【００３７】
この入力操作部１２において、タスクキー１２２は、機能呼出しに用いる操作部であって、機能の立上げ等の指示入力に用いられる。決定キー１２４は、機能を動作させた際に、表示部１６に提示される情報や機能等の決定指示の入力に用いられる。ダイヤル・文字キー１２６はダイヤル入力、文字入力、認証情報である暗証番号の入力等に用いられる。開始・文字キー１２８は、通話開始等に用いられる。電源・終了キー１２９は電源投入や通話終了に用いられる。
【００３８】
指紋センサ１４は、認証情報入力部であって、この実施の形態では、認証情報の一つであるユーザの指紋を検出する。この指紋センサ１４は指紋認証を認証情報としない場合には省略してもよい。
【００３９】
表示部１６は例えば、ＬＣＤ（Liquid Crystal Display）で構成され、文字や図形、写真画像等の画像表示を行い、ある機能の動作中の状態や、ある機能の動作中に他の機能の呼出しを行う場合に、その機能呼出しの情報やその動作途上の状態を表示する。
【００４０】
そして、マイクロフォン１８は、音声入力を電気信号に変換し、また、スピーカ２０は電気信号を音声に変換する。電話発信モード及び電話着信モードにおいて、これらマイクロフォン１８及びスピーカ２０が用いられるが、オールロックモードでは、これらに動作抑止が設定される。
【００４１】
斯かる構成の携帯端末装置２では、複数の機能を同時に動作させることができるとともに、各機能に対して選択的にセキュリティ性に応じて動作抑止を設定することができる。また、ある機能の動作中に他の機能の呼出しを受け付け、その機能に動作抑止が設定されている場合には、認証情報の入力を受け付け、入力された認証情報と登録されている認証情報とを比較し、適正な認証情報が入力された場合には、ある機能の動作中に他の機能を動作させることができる。例えば、動作抑止が設定されている場合であって、電話の着信を受けることができ、その着信中に電話帳の参照等の必要が生じた場合には、タスクキー１２２の打鍵により、認証モードに移行し、認証情報が合致した場合には、電話帳の参照が許可されることになる。このように、ある機能の動作中に他の機能を認証情報の合致を条件にして動作させることができ、一旦、機能を終了した後に他の機能に移行させるという操作が不要になるとともに、セキュリティ性を維持することができる。利便性の高い携帯端末装置２を提供することができる。
【００４２】
次に、この携帯端末装置２について、図２及び図３を参照して説明する。図２は、開状態の携帯端末装置２を示す正面図、図３は、閉状態の携帯端末装置２を示す側面図である。図２及び図３において、図１と同一部分には同一符号を付してある。
【００４３】
この携帯端末装置２では、第１及び第２の筐体部２６、２８が備えられ、これら筐体部２６、２８は開閉機構２４によって連結されて開閉可能である。この開閉機構２４を以て開閉される筐体部２６、２８には開閉センサ１０が設置され、この開閉センサ１０から筐体部２６、２８の開状態又は閉状態を表す検出信号が得られる。携帯端末装置２は、ロック設定されている場合には、筐体部２６、２８が閉状態（図３）になると、開閉センサ１０の検出信号によりロック状態（動作抑止状態）に移行する。
【００４４】
筐体部２６には、入力操作部１２の各種キー１２２〜１２９、指紋センサ１４、マイクロフォン１８等が設置されているとともに、記憶部４、プロセッサ６等が内蔵され、また、筐体部２８には表示部１６、スピーカ２０が設置され、アンテナ２２が内蔵されている。
【００４５】
斯かる携帯端末装置２によれば、既設の入力操作部１２のキー編成に変更を加えることなく、既述の例えば、通話中に他の機能の呼出し、その認証情報の認証操作、他の機能の動作等が行われる。
【００４６】
次に、開閉ロック中の着信及び機能呼出し動作について、図４を参照して説明する。図４は、開閉ロック中の着信及び機能呼出し動作を示すフローチャートであり、この場合、筐体部２６、２８が閉状態の処理である。
【００４７】
既述の通り、この携帯端末装置２では、各種機能の動作抑止が設定されていても、電話着信及び通話が可能である。電源が投入されていて、動作抑止の状態から電話着信を受けるシチュエーションであって、筐体部２６、２８が閉状態（図３）に維持された状態で着信音が発生する（ステップＳ１）。ユーザが筐体部２６、２８を開状態（図２）にすると、表示部１６には待受け画面が立ち上がり、表示される（ステップＳ２）。この状態で通話が開始され（ステップＳ３）、通話中を表す画面が表示される（ステップＳ４）。即ち、ユーザは、この画面から通話中であることを認識できる。
【００４８】
この通話中において、入力操作部１２の特定キーとして例えば、タスクキー１２２が打鍵されると（ステップＳ５）、通話機能以外の他の機能の呼出しが開始される。その機能に移行するには、開閉ロック（動作抑止）中であるか否かの判定が行われ（ステップＳ６）、開閉ロック中であれば、表示部１６には認証画面が表示され（ステップＳ７）、この認証画面のガイド情報に従って認証情報の入力を行い（ステップＳ８）、入力された認証情報が適正であるか否かの判定が行われる（ステップＳ９）。この認証処理には、予め登録されている認証情報の参照として、入力された認証情報と、予め登録されている認証情報とが一致しているか否かが判定される。一致していれば、認証が成立して動作抑止が解除され、機能が起動され（ステップＳ１０）、その機能の動作を表す画面が表示される（ステップＳ１１）。動作抑止が設定されていない場合には、ステップＳ６からステップＳ１０に移行する。
【００４９】
通話中、この機能の動作を行うことができ、その機能が終了した場合（ステップＳ１２）には通話が終了しているか否かの判定が行われる（ステップＳ１３）。通話中の場合には、ステップＳ４に移行して通話中を表す画面を表示し、通話終了によりステップＳ２の待受け画面に戻る。
【００５０】
このような処理によれば、閉状態（図３）にある携帯端末装置２で電話着信を受け、その通話中に他の機能として例えば、電話帳を参照することができる。また、通話を終了し、携帯端末装置２を開状態（図２）から閉状態（図３）に戻すことで、再びロック状態に復帰させることができる。
【００５１】
次に、筐体部が開状態にある場合の開閉ロック中の着信及び機能呼出し動作について、図５を参照して説明する。図５は、開閉ロック中の着信及び機能呼出し動作を示すフローチャートである。
【００５２】
筐体部２６、２８が開状態（図２）に維持された状態で着信を受ける場合には、図５に示すフローチャートによる処理が実行される。即ち、筐体部２６、２８が開状態では、表示部１６に待受け画面が表示される（ステップＳ２１）。この状態で着信呼出しがあると（ステップＳ２２）、通話が開始され（ステップＳ２３）、通話中を表す画面が表示される（ステップＳ２４）。この画面から通話機能の継続を認識することができることは既述の通りである。
【００５３】
この通話中において、入力操作部１２の特定キーとして例えば、タスクキー１２２が打鍵されると（ステップＳ２５）、既述の通り、通話機能以外の他の機能の呼出しが開始される。その機能に移行するには、開閉ロック（動作抑止）中であるか否かの判定が行われ（ステップＳ２６）、開閉ロック中であれば、表示部１６には認証画面が表示され（ステップＳ２７）、この認証画面のガイド情報に従って認証情報の入力を行い（ステップＳ２８）、入力された認証情報が適正であるか否かの判定が行われる（ステップＳ２９）。この認証処理において、入力された認証情報と登録情報とが一致していれば、動作抑止が解除され、機能の起動が行われ（ステップＳ３０）、その機能の動作を表す画面が表示される（ステップＳ３１）。動作抑止が設定されていない場合には、ステップＳ２６からステップＳ３０に移行する。
【００５４】
通話中、この機能の動作を行うことができ、その機能が終了した場合（ステップＳ３２）には、通話が終了か否かの判定が行われる（ステップＳ３３）。通話中の場合には、ステップＳ２４に移行して特定キーの打鍵があるのを待機し、通話終了によりステップＳ２１の待受け画面に戻る。
【００５５】
この処理では、待受け画面を立ち上げた状態（図２）から電話着信を受ける場合であり、その通話中に他の機能を動作抑止の解除により立ち上げることができる。そして、通話を終了し、携帯端末装置２を閉状態（図３）に戻すことにより、再びロック機能が働くことになる。
【００５６】
次に、電話着信から開閉ロック解除の画面構成について、図６及び図７を参照して説明する。図６は、開閉ロック中の着信、機能呼出し及び認証情報の入力の画面を表す図、図７は、開閉ロックの解除及び開閉ロック解除後のメニュー画面を示す図である。
【００５７】
開閉ロック中に電話着信があった場合には、図６の（Ａ）に示すように、表示部１６には、着信中を表す画面５０が表示され、この画面５０には、開閉ロックが設定されている旨のロックアイコン５２、「着信中」及び相手先の電話番号等が表示される。
【００５８】
ユーザが通話を開始すると、図６の（Ｂ）に示すように、表示部１６には、通話中を表す画面５４が表示される。この画面５４には、「通話中」と相手先電話番号が表示される。その他、氏名等を表示してもよい。
【００５９】
この通話中において、図６の（Ｃ）に示すタスクキー１２２（図２）が押下されると、図６の（Ｄ）に示すように、認証情報の入力画面５６が表示される。この入力画面５６では、「指紋認証」であること、指紋認証の方法を表す画像５８とともに、認証情報の入力を促すガイドメッセージ６０として「指紋又は暗証番号を入力してください」が表示される。
【００６０】
ユーザがこれらのガイド情報に応じて指紋又は暗証番号を入力すると、図７の（Ａ）に示すように、表示部１６には開閉ロックの解除を表す画面６２が表示される。この画面６２では、現在の状態を表すメッセージ６４として「開閉ロックを解除しました」が表示される。
【００６１】
この開閉ロック解除を表す画面６２に続き、図７の（Ｂ）に示すように、表示部１６には、動作抑止が解除された機能メニューを表すメニュー選択画面６６が表示される。このメニュー選択画面６６には、選択メニューとして通話機能とは別の各種の機能例えば、「マルチアクセス、メール、電話帳、アプリ一覧・・・」等が表示されている。「マルチアクセス」は、ある機能例えば、通話機能の動作中に他の機能から選択された機能の立上げ及びその動作が可能であることを表している。この場合、例えば、「電話帳」にカーソル６８を合わせ、決定キー１２４を押下すれば、表示部１６には電話帳データが展開されることになる。即ち、通話中に電話帳データを参照することができる。また、他の機能が選択されれば、その機能の動作が行われる。これらの機能が終了すれば、図６の（Ｂ）に示す通話中を表す画面５４が表示され、また、通話が終了すれば、待受け画面に戻る。
【００６２】
斯かる画面表示の連鎖とガイド情報の表示により、ユーザは、通話中に他の機能をロック解除により容易に動作させることができる。
【００６３】
次に、開閉ロック中の機能呼出し動作について、図８を参照して説明する。図８は、開閉ロック中の機能呼出し動作を示すフローチャートである。
【００６４】
筐体部２６、２８が開かれると、表示部１６には待受け画面が立ち上がる（ステップＳ４１）。この待受け画面には、開閉ロック中であれば、開閉ロック中を表すロックアイコン５２が表示される。この待機状態で、ユーザが機能呼出し操作をすると、その機能呼出しが受け付けられ（ステップＳ４２）、開閉ロック中か否かの判定が行われる（ステップＳ４３）。
【００６５】
開閉ロック中であれば、表示部１６に認証画面が表示され（ステップＳ４４）、認証情報の入力が促される。そのガイドに従い、認証情報を入力する（ステップＳ４５）。入力された認証情報が適正であるか否かが判定され（ステップＳ４６）、入力された認証情報と、登録されている認証情報とが一致すれば、開閉ロックが解除され、選択される機能が起動され（ステップＳ４７）、その機能の動作を表す画面が表示される（ステップＳ４８）。動作抑止が設定されていない場合には、ステップＳ４３からステップＳ４７に移行する。また、ステップＳ４６で認証情報が不適正であれば、ステップＳ４１の待受け画面に移行する。認証処理が適正に行われ、機能が起動した後、その機能が終了したか否かが判定され（ステップＳ４９）、機能終了とともに待受け画面に移行する（ステップＳ４１）。
【００６６】
斯かる構成によれば、待受け画面から特定の機能を呼出し、その機能にロック機能が働いている場合には、認証処理を経て、その機能を立ち上げ、動作させることができる。既述したように、その機能の動作を終了させることなく、携帯端末装置２を閉状態（図３）にすれば、ロック状態に移行させることができる。
【００６７】
次に、ある機能の動作中に他の機能呼出しをする場合の動作について、図９を参照して説明する。図９は、ある機能の動作中の他の機能呼出し動作を示すフローチャートである。
【００６８】
ステップＳ５１〜Ｓ５８は、ある機能の動作を表し、ステップＳ６０〜Ｓ６６は、ある機能の動作中の他の機能の動作を表し、いずれの機能にも動作抑止が設定されている場合がある。しかも、ある機能の動作中に他の機能呼出しを受け付けるが、その機能に動作抑止が設定されている場合に、その動作抑止を解除する場合である。
【００６９】
待機状態にある携帯端末装置２の表示部１６には待受け画面が表示され（ステップＳ５１）、この状態でユーザによる機能呼出しが実行されると（ステップＳ５２）、ロック中であるか否かが判定され（ステップＳ５３）、ロック中である場合には、表示部１６に認証画面が表示され（ステップＳ５４）、認証情報の入力が促される。そのガイドに従い、認証情報を入力する（ステップＳ５５）。入力された認証情報が適正であるか否かが判定され（ステップＳ５６）、入力された認証情報と、登録されている認証情報とが一致すれば、開閉ロックが解除され、選択される機能が起動され（ステップＳ５７）、その機能の動作画面が表示される（ステップＳ５８）。また、ステップＳ５３において、ロック中でなければ、ステップＳ５３から機能の起動（ステップＳ５７）に移行する。
【００７０】
また、ステップＳ５６において、認証情報が不適正であると判断されれば、ステップＳ５１の待受け画面に移行する。認証処理が適正に行われ、機能が起動した後、管理プログラム４２２により、実行中の機能が終了したか否かが監視され（ステップＳ５９）、機能終了とともに待受け画面に移行する（ステップＳ５１）。
【００７１】
ところで、ある機能の実行中に、他の機能呼出しが生じると（ステップＳ６０）、その機能がロック中であるか否かの判定が行われ（ステップＳ６１）、ロック中である場合には、表示部１６に認証画面が表示され（ステップＳ６２）、認証情報の入力が促される。そのガイドに従い、認証情報を入力する（ステップＳ６３）。入力された認証情報が適正であるか否かが判定され（ステップＳ６４）、入力された認証情報と、登録されている認証情報とが一致すれば、開閉ロックが解除され、他の機能が起動され（ステップＳ６５）、その動作画面が表示される（ステップＳ６６）。また、ステップＳ６１において、ロック中でなければ、ステップＳ６１から他の機能の起動（ステップＳ６５）に移行する。
【００７２】
また、ステップＳ６４において、認証情報が不適正であると判断されれば、ステップＳ５８の実行中の機能を表す動作画面に移行する。認証処理が適正に行われ、他の機能が起動した後、管理プログラム４２２により、他の機能が終了したか否かが監視され（ステップＳ６７）、機能終了とともに実行中の動作画面に移行し（ステップＳ５８）、他の機能の呼出しが可能な状態となる。
【００７３】
斯かる構成によれば、ある機能の動作が継続中に他の機能の呼出しが可能であり、その機能にロック機能が働いている場合、即ち、動作抑止が設定されている場合には、認証情報の入力及びその適正判断を経て、その機能を立ち上げ、動作させることができる。先の機能に対し、後の機能の立上げは、割込み処理によって実現されているので、その機能を終了させた場合には、先の機能に戻り、その動作をさせることができる。そして、この実施の形態では、携帯端末装置２を閉状態（図３）にすることにより、再びロック機能が働くことになる。斯かる機能を備えた携帯端末装置２等の電子機器では、セキュリティ性や操作性を犠牲にすることなく、複数の機能の同時動作が可能である。
【００７４】
〔第２の実施の形態〕
【００７５】
本発明の第２の実施の形態について、図１０及び図１１を参照して説明する。図１０は、第２の実施の形態に係る携帯端末装置を示すブロック図、図１１は、携帯端末装置の具体的な構成例を示す図である。図１０及び図１１において、図１、図２と同一部分には同一符号を付してある。
【００７６】
この実施の形態の携帯端末装置２は、開閉センサ１０（図１）に代えてロックキー１２３を備えた構成である。斯かる構成では、携帯端末装置２に対し、ロックキー１２３を押下することにより、ロック機能が起動され、動作抑止が設定される。即ち、プログラム格納部４２に格納されているロック設定・解除プログラム４２８におけるロック機能の開始が、このロックキー１２３によって実行される。その他の構成は第１の実施の形態の携帯端末装置２と同様である。
【００７７】
このような携帯端末装置２では開閉機構２４（図１）を備えておらず、単一の筐体部２７で構成され、この筐体部２７にロックキー１２３が設置されている。筐体部２６、２８に跨がって設置されていた入力操作部１２や表示部１６等は単一の筐体部２７に配設され、各構成は第１の実施の形態の携帯端末装置２（図２）と同様である。
【００７８】
このような構成によっても、既述した図４及び図５に示す動作、図６及び図７に示す画面表示、図８及び図９に示す動作を行うことができる。即ち、ロックキー１２３を操作したことによって動作抑止が働いている場合に、電話着信やある機能を動作させ、その着信中や動作中に他の機能を呼び出し、認証動作の後、その機能を立ち上げ、動作させることができ、複雑なキー操作を不要にする等の利点がある。
【００７９】
〔その他の実施の形態〕
【００８０】
上記第１の実施の形態では、指紋センサ１４を備えた携帯端末装置２（図１、図２）を例示したが、図１２に示すように、指紋センサ１４を備えていない携帯端末装置２を構成し、暗証番号等の暗証情報で動作抑止の解除を可能にしてもよい。
【００８１】
また、上記実施の形態では、電子機器として携帯端末装置２を例示したが、図１３に示すように、パーソナルコンピュータ（ＰＣ）７０に本発明を適用してもよい。図１３において、図１、図２と共通部分には同一符号を付してある。このＰＣ７０では、筐体部２６に開閉機構２４を介して筐体部２８を開閉可能に設置され、筐体部２６には既述した開閉センサ１０が設置されている。即ち、ＰＣ７０においても、開閉を検出してロック機構を動作させるように構成することができる。また、このＰＣ７０では、特定キーとしてタスクキー１２２を設置すれば、既述した通り、ある機能の動作中に動作抑止が働いている他の機能を呼び出し、認証動作の後、その機能を立ち上げ、動作させることができ、ＰＣ７０においても、セキュリティ性を向上させることができる。
【００８２】
また、本発明は、図１４に示す携帯情報端末機（ＰＤＡ：Personal Digital Assistant）７２についても適用できる。図１０及び図１１を参照して説明した通り、ロックキー１２３とともに、ロック機能を備える構成とすることができる。斯かる構成とすれば、既述した通り、ある機能の動作中に動作抑止が働いている他の機能を呼び出し、認証動作の後、その機能を立ち上げ、動作させることができ、ＰＤＡ７２においても、セキュリティ性を向上させることができる。
【００８３】
また、本発明は、図１５に示すカメラ７４についても適用できる。図１０及び図１１を参照して説明した通り、ロックキー１２３とともに、ロック機能を備える構成とすることができる。斯かる構成とすれば、既述した通り、撮影モード等の機能の動作中に動作抑止が働いている他の機能例えば、編集機能を呼び出し、認証動作の後、その機能を立ち上げ、動作させることができ、カメラ７４においても、撮影データの消去や改ざん等のセキュリティ性を向上させることができる。
【００８４】
また、本発明は、ゲーム機等にも適用することができる。例えば、あるゲーム機能が動作中に、動作抑止が設定された他のゲーム機能の呼出しを可能にし、認証動作の後、その機能を立ち上げ、動作させることとなるので、そのゲームに設定されている情報の削除や改ざんを防止することができる。
【００８５】
また、上記実施の形態では、電子機器として携帯端末装置２、ＰＣ７０、ＰＤＡ７２、カメラ７４、ゲーム機を例示したが、本発明は、複数の機能を同時に動作させることができ、機能に対して動作抑止の設定を可能にした上記以外の各種の電子機器に適用することができる。
【００８６】
また、上記実施の形態では、開閉ロック機構によりロックされた携帯端末装置２に電話着信があった場合に通話が可能であり、その通話中に他の機能として例えば、電話帳を呼び出す場合等を例示したが、携帯端末装置２である機能として例えば、ゲーム等を実行している場合に電話着信があったとき、その通話動作を即座に可能にしてもよいし、認証情報を要求し、それに応答した認証情報が適正であれば、通話動作を可能にする構成としてもよい。
【００８７】
また、上記実施の形態では、開閉機構２４と連動した開閉ロック機能（第１の実施の形態）、ロックキー１２３の操作によるロック機能（第２の実施の形態）を例示したが、複数の機能を同時に動作させる携帯端末装置２等の電子機器に関し、ロック機能の立上げは、開閉機構２４やロックキー１２３だけでなく、ユーザが所定時間以上、離れた場合を検出してロック機能を立ち上げる等の構成としてもよい。
【００８８】
次に、以上述べた本発明の電子機器、その動作抑止制御方法及び動作抑止制御プログラムの各実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８９】
（付記１）  ある機能の動作中に他の機能の動作が可能であり、各機能に動作抑止の設定が可能である電子機器であって、
前記ある機能の動作中に前記他の機能の呼出しを受け付け、その呼出しに係る他の機能に動作抑止が設定されている場合、認証情報の判定に基づき、前記動作抑止を解除する制御部を備えたことを特徴とする電子機器。
【００９０】
（付記２）  付記１記載の電子機器において、
認証情報を入力する認証情報入力部を備えることを特徴とする電子機器。
【００９１】
（付記３）  付記１記載の電子機器において、
前記制御部は、入力された認証情報が、登録されている認証情報に合致するか否かの判定を行うことを特徴とする電子機器。
【００９２】
（付記４）  付記１記載の電子機器において、
前記機能の呼出しに用いられる操作部を備えたことを特徴とする電子機器。
【００９３】
（付記５）  動作抑止が設定されている場合に電話着信を受け付け、通話が可能な電子機器であって、
通話中に機能の呼出しを受け付け、その呼出しに係る機能に動作抑止が設定されている場合、認証情報の判定に基づき、前記動作抑止を解除する制御部を備えたことを特徴とする電子機器。
【００９４】
（付記６）  付記１又は５記載の電子機器において、
前記制御部は、機能の呼出しを受け付けた場合に、前記認証情報の入力を促す表示情報を出力することを特徴とする電子機器。
【００９５】
（付記７）
ある機能の動作中に他の機能の動作が可能であり、各機能に動作抑止の設定が可能である電子機器であって、
前記ある機能の動作中に前記他の機能の呼出しを受け付けた場合に、その呼出しに係る他の機能が動作抑止に設定されているかを判断する動作抑止設定判断部と、
前記動作抑止設定判断部において、該他の機能が動作抑止に設定されていると判断した場合、前記動作抑止を解除するための認証情報をユーザに対して要求する認証情報要求部と、
該認証情報要求部において要求された認証情報とユーザから入力された認証情報とを比較判定し、その判定結果に基づき、前記動作抑止を解除する制御部と、
を備えたことを特徴とする電子機器。
【００９６】
（付記８）  ある機能の動作中に他の機能の動作が可能であり、各機能の動作抑止の設定が可能である電子機器の動作抑止制御方法であって、
前記ある機能の動作中に前記他の機能の呼出しを受け付ける処理と、
前記呼出しに係る他の機能に動作抑止が設定されている場合に認証情報を判定する処理と、
前記認証情報の判定に基づき、前記動作抑止を解除する処理と、
を備えたことを特徴とする電子機器の動作抑止制御方法。
【００９７】
（付記９）  動作抑止が設定されている場合に電話着信を受け付け、通話が可能な電子機器の動作抑止制御方法であって、
通話中に機能の呼出しを受け付ける処理と、
前記呼出しに係る機能に動作抑止が設定されている場合に認証情報を判定する処理と、
前記認証情報の判定に基づき、前記動作抑止を解除する処理と、
を備えたことを特徴とする電子機器の動作抑止制御方法。
【００９８】
（付記１０）  付記８又は９記載の電子機器の動作抑止制御方法において、
動作抑止の解除に参照する認証情報の入力を促す表示情報を出力する処理を含むことを特徴とする電子機器の動作抑止制御方法。
【００９９】
（付記１１）  複数の機能を処理できる電子機器の動作抑止制御方法であって、
ある機能の処理中に他の機能の呼出し情報を受け付ける処理と、
認証情報を判定する処理と、
前記認証情報の判定により、前記他の機能についての動作抑止を解除する処理と、
を備えたことを特徴とする電子機器の動作抑止制御方法。
【０１００】
（付記１２）
ある機能の動作中に他の機能の動作が可能であり、各機能に動作抑止の設定が可能である電子機器の動作抑止制御方法であって、
前記ある機能の動作中に前記他の機能の呼出しを受け付けた場合に、その呼出しに係る他の機能が動作抑止に設定されているかを判断する処理と、
該他の機能が動作抑止に設定されていると判断した場合、前記動作抑止を解除するための認証情報をユーザに対して要求する処理と、
要求された認証情報とユーザから入力された認証情報とを比較判定し、その判定結果に基づき、前記動作抑止を解除する処理と、
を備えたことを特徴とする電子機器の動作抑止制御方法。
【０１０１】
（付記１３）  コンピュータにより実行され、ある機能の動作中に他の機能の動作が可能であり、各機能の動作抑止の設定が可能である電子機器の動作抑止制御プログラムであって、
前記ある機能の動作中に前記他の機能の呼出しを受け付けるステップと、
前記呼出しに係る他の機能に動作抑止が設定されている場合に認証情報を判定するステップと、
前記認証情報の判定に基づき、前記動作抑止を解除するステップと、
を備えたことを特徴とする電子機器の動作抑止制御プログラム。
【０１０２】
（付記１４）  コンピュータにより実行され、動作抑止が設定されている場合に電話着信を受け付け、通話が可能な電子機器の動作抑止制御プログラムであって、
通話中に機能の呼出しを受け付けるステップと、
前記呼出しに係る機能に動作抑止が設定されている場合に認証情報を判定するステップと、
前記認証情報の判定に基づき、前記動作抑止を解除するステップと、
を備えたことを特徴とする電子機器の動作抑止制御プログラム。
【０１０３】
（付記１５）  付記１３又は１４記載の電子機器の動作抑止制御プログラムにおいて、
動作抑止の解除に参照する認証情報の入力を促す表示情報を出力するステップを含むことを特徴とする電子機器の動作抑止制御プログラム。
【０１０４】
（付記１６）  コンピュータにより実行され、複数の機能を処理できる電子機器の動作抑止制御プログラムであって、
ある機能の処理中に他の機能の呼出し情報を受け付けるステップと、
認証情報を判定するステップと、
前記認証情報の判定により、前記他の機能についての動作抑止を解除するステップと、
を備えたことを特徴とする電子機器の動作抑止制御プログラム。
【０１０５】
（付記１７）  コンピュータにより処理され、ある機能の動作中に他の機能の動作が可能であり、各機能に動作抑止の設定が可能である電子機器の動作抑止制御プログラムであって、
前記ある機能の動作中に前記他の機能の呼出しを受け付けた場合に、その呼出しに係る他の機能が動作抑止に設定されているかを判断するステップと、
該他の機能が動作抑止に設定されていると判断した場合、前記動作抑止を解除するための認証情報をユーザに対して要求するステップと、
要求された認証情報とユーザから入力された認証情報とを比較判定し、その判定結果に基づき、前記動作抑止を解除するステップと、
を備えたことを特徴とする電子機器の動作抑止制御プログラム。
【０１０６】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０７】
本発明は、複数の機能を同時に動作させることができ、動作抑止の設定が可能な電子機器に関し、認証情報の合致により、他の機能の動作を行うことができるので、操作性を悪化させることなく、また、セキュリティ性を損なうことなく、複数の機能の同時動作を実現でき、電子機器の利便性を高めることができ、有用である。
【図面の簡単な説明】
【０１０８】
【図１】第１の実施の形態に係る携帯端末装置を示すブロック図である。
【図２】開状態の携帯端末装置を示す図である。
【図３】閉状態の携帯端末装置を示す図である。
【図４】ロック状態で着信中の機能呼出し動作を示すフローチャートである。
【図５】ロック状態で着信中の機能呼出し動作を示すフローチャートである。
【図６】着信画面、通話画面、認証画面等を示す図である。
【図７】ロック解除画面及びメニュー画面を示す図である。
【図８】開閉ロック中の機能呼出し動作を示すフローチャートである。
【図９】ある機能の動作中からの他の機能の呼出し動作を示すフローチャートである。
【図１０】第２の実施の形態に係る携帯端末装置を示すブロック図である。
【図１１】携帯端末装置を示す図である。
【図１２】指紋センサを備えない携帯端末装置を示す図である。
【図１３】ＰＣを示す図である。
【図１４】ＰＤＡを示す図である。
【図１５】カメラを示す図である。
【符号の説明】
【０１０９】
２  携帯端末装置（電子機器）
６  プロセッサ（制御部）
１０  開閉センサ
１２  入力操作部
１２２  タスクキー
１２３  ロックキー
１４  指紋センサ
【図１】
2006303701.tif 000003
【図２】
2006303701.tif 000004
【図３】
2006303701.tif 000005
【図４】
2006303701.tif 000006
【図５】
2006303701.tif 000007
【図６】
2006303701.tif 000008
【図７】
2006303701.tif 000009
【図８】
2006303701.tif 000010
【図９】
2006303701.tif 000011
【図１０】
2006303701.tif 000012
【図１１】
2006303701.tif 000013
【図１２】
2006303701.tif 000014
【図１３】
2006303701.tif 000015
【図１４】
2006303701.tif 000016
【図１５】
2006303701.tif 000017